(57)【要約】      （修正有）【課題】操作が便利で、ルーズリーフ用リング用紙が破損することのないルーズリーフ用リングを提供する。【解決手段】ルーズリーフ用紙を保持するためのルーズリーフ用リング１であって、ルーズリーフ用紙を保持するための２つの半環状部材３，５と、２つの半環状部材を可動様態で連結するための弾性連結器２３とを含む。本発明によるルーズリーフ用リングは開閉が便利であり、変形しにくく、保持されているルーズリーフ用紙を容易に旋回させることが可能である。【選択図】図１
2007261271.tif 000002
【特許請求の範囲】
【請求項１】
ルーズリーフ用紙を保持するためのルーズリーフ用リングであって、
ルーズリーフ用紙を保持するための２つの半環状部材と、
２つの半環状部材を可動様態で連結する弾性連結器とを有すること
を特徴とするルーズリーフ用リング。
【請求項２】
前記弾性連結器は円弧形で、横断面がU字形であって、２つの半環状部材を合わせた形で連結すること
を特徴とする請求項１に記載のルーズリーフ用リング。
【請求項３】
前記弾性連結器は１つもしくは２つの円弧形の弾性シートもしくは弾性ワイヤであって、前記弾性連結器は２つの半環状部材を合わせた形で連結すること
を特徴とする請求項１に記載のルーズリーフ用リング。
【請求項４】
前記弾性連結器が直線状であること
を特徴とする請求項１に記載のルーズリーフ用リング。
【請求項５】
前記弾性連結器によって連結されている２つの半環状部材の端部には、ゆるく相互係合できる１つの突出部分と１つの凹み部分がそれぞれ設けられていること
を特徴とする請求項１記載のルーズリーフ用リング。
【請求項６】
前記凹部の２つの側面が外に向かって開いた形になっていること
を特徴とする前記請求項５記載のルーズリーフ用リング。
【請求項７】
前記突出部分と凹み部分の横断面は矩形、台形、V字形またはその他の形であること
を特徴とする請求項５記載のルーズリーフ用リング。
【請求項８】
前記弾性連結器によって連結されている２つの半環状部材の端部それぞれの外向きの向かいあった側面の少なくとも一方が、凹みをつけられて平坦部が形成されていること
を特徴とする請求項１記載のルーズリーフ用リング。
【請求項９】
２つの半環状部材の自由端に各自相互係合するための係合部が設けられ、閉じた状態にある２つの半環状部材が誤って外れることを防止すること
を特徴とする請求項１記載のルーズリーフ用リング。
【請求項１０】
前記係合部は、一方の半環状部材の上にある１つの突出部、そして、もう一方の半環状部材の上にあって前記突出部と係合する１つの凹部であること
を特徴とする請求項９記載のルーズリーフ用リング。
【請求項１１】
前記突出部及び凹部の形が円筒形、半円筒形、円錐形、I字形、十字形、またはV字形であること
を特徴とする請求項１０記載のルーズリーフ用リング。
【請求項１２】
２つの半環状部材の形状が半円形であること、もしくは、１つの半環状部材の形状が半円形でもう１つの半環状部材が「]」形であること
を特徴とする請求項１記載のルーズリーフ用リング。
【請求項１３】
２つの半環状部材の横断面が円形、半円形、楕円形、もしくは矩形であること
を特徴とする請求項１記載のルーズリーフ用リング。
【発明の詳細な説明】
【技術分野】
【０００１】
本発明は、ルーズリーフ用紙を保持するためのルーズリーフ用リングに関する。
【背景技術】
【０００２】
穴あき用紙などのルーズリーフ用紙を保持するためにリングバインダ装置以外にも、通常ルーズリーフ用リングもルーズリーフ用紙を保持するために使われており、これだとコストも節約できる。公知のルーズリーフ用リングは通常２つの半環状部材を含み、２つの半環状部材は一端がピンなどの連結器によって相互に連結されており、ピンを中心に一定の範囲内で旋回することによって、２つの半環状部材を開閉することができる。２つの半環状部材の他端には横方向から見て向かい合った形で鉤状部が設けられる。横方向から見て向かいあった鉤状部を相互にかみ合わせることによって、２つの半環状部材は係止されて一体となる。
【０００３】
この公知のルーズリーフ用リングの欠点は、ルーズリーフ用リングを開ける必要がある際に、２つの環状部分の横方向から見て向かい合った鉤状部を力を入れて外向きに引き離し、それらをずらさなければならないことである。その後、手で２つの半環状部材を引いてピンを中心に相互に離れるように旋回させ、ルーズリーフ用リングを開ける。前記の操作は比較的不便であり、さらに、開閉を繰り返しているうちに、２つの半環状部材が変形し、確実に係止することができなくなる恐れがある。
【０００４】
公知のルーズリーフ用リングのもう１つの欠点は、ピンによって相互に連結された位置において２つの半環状部材が重なるため、この位置でのルーズリーフ用リングのサイズが他の部分よりも相当に大きくなることである。ルーズリーフ用紙をルーズリーフ用リングに沿って回す時、用紙がかまれたり、破損したりすることすらあり得る。
従って、改良型のルーズリーフ用リングが必要である。
【特許文献１】米国特許第４８８６３９０号明細書
【発明の開示】
【発明が解決しようとする課題】
【０００５】
本発明は、操作が便利で、ルーズリーフ用リング用紙が破損することのないルーズリーフ用リングを提供することを目的とする。
【課題を解決するための手段】
【０００６】
本発明よるルーズリーフ用紙保持用のルーズリーフ用リングは、ルーズリーフ用紙を保持するための２つの半環状部材と２つの半環状部材を可動様態で連結する弾性連結器とを含む。
【発明の効果】
【０００７】
本発明によるルーズリーフ用リングは、２つの環状部分を力を入れて外向きに引き離して位置をずらすのではなく、反対方向に引き離すだけで開けることができるため、操作するのにとても便利である。長期使用後も、２つの半環状部材は変形しにくく、確実に係止して一体にすることができる。２つの半環状部材を弾性連結器で連結することで、２つの半環状部材の連結された位置でのサイズは大幅に小さくなり、連結された位置はかなり滑らかになる。そのため、ルーズリーフ用リングに保持されているルーズリーフ用紙は滑らかに回すことができ、破損されることもない。
【０００８】
本発明によるルーズリーフ用リングは、開閉しやすく、変形しにくく、保持している用紙を回しやすくすることができる。
本発明の特徴は、一部は自明であり、一部は以下の部分で説明することにする。
【発明を実施するための最良の形態】
【０００９】
添付した図面を参照しながら、本発明によるルーズリーフ用リング１を詳細に説明する。本発明のルーズリーフ用リング１は２つの半環状部材３、５を含む。図面で示した半環状部材３、５の横断面は円形である。別の形として、それらの横断面は半円形、楕円形、矩形とすることもできる。２つの半環状部材３、５自身はそれぞれ半円形である。しかし、公知のように、２つの半環状部材３、５は各自が他の形状であってもよい。例えば、１つが半円形で、もう１つがお大よそ「]」の形をしており、閉じた際には実質的に「D」形のリングを形成する、という形にすることも可能である。係合部７、９は２つの半環状部材３、５の自由端に各自設けられており、相互係合し、閉じた状態にある２つの半環状部材が誤って外れることを防止する。図面に示す係合部７、９は、半環状部材３に形成された１つの円筒型突出部と、この円筒形の突出部と係合するように半環状部材５に形成された１つの円筒形凹部である。言うまでもなく、円筒形凹部を半環状部材３に形成し、円筒形突出部を半環状部材５に形成してもよい。同業者には公知のように、突出部及び凹部の形は円筒形に限らない。例えば、それらの形は半円形、円錐形、I字の形、十字形、またはV字形などであってもよい。
【００１０】
２つの半環状部材３、５の他端の外向きの向かい合っている両側面は、各自凹ませる形で加工されて平坦部１１、１３が形成されている。これにより、組み立て時の連結位置のサイズはさらに小さくなる。多端における平坦部１１、１３の片側だけが図面で示されており、反対側の平坦部は見えない。理解すべきなのは、凹んだ平坦部を他端にそれぞれ形成することが好ましいが、平坦部を形成しないことも可能である。ゆるく相互係合することができる突出部分  ２１と凹み部分１９とを２つの半環状部材３、５の他端に各自形成し、組み立てた状態で突出部分２１と凹み部分１９とはすこし相対移動できるようにしておく。突出部分２１と凹み部分１９との相対移動を容易にするために、凹み部分１９の２つの側面を外向きに少し開いた形にすることが好ましい。突出部分  ２１と凹み部分１９の横断面の形は矩形、台形、V字形、もしくはその他の任意の適切な形とすればよい。図面で示すように、突出部分２１は半環状部材５の上に形成されており、凹み部分１９は半環状部材３の上に形成されている。言うまでもなく、突出部分２１を半環状部材３の上に形成し、凹み部分１９を半環状部材５の上に形成してもよい。もちろん、２つの半環状部材３、５の多端に突出部分及び凹み部分を形成しないことも可能である。２つの貫通孔１５、１７が各自他端の端部から一定の距離の位置に形成されている。
【００１１】
本発明によるルーズリーフ用リング１はさらに、２つの半環状部材３、５を可動様態で連結する弾性連結器２３を含む。図面で示すように、弾性連結器    ２３は横断面がお大よそU字形をした円弧形であり、貫通孔２５が２つの端部のそれぞれに形成されている。しかし、弾性連結器２３は、１つもしくは２つの円弧状の弾性シートもしくは弾性ワイヤによって形成してもよい。円弧状の弾性シートもしくは弾性ワイヤが１つしかない場合、それは２つの半環状部材３、５の片面だけに設けられる。円弧形の弾性シートもしくは弾性ワイヤが２つある場合、それらは半環状部材３、５の両面に設置される。直線状の弾性連結器も本発明の範囲に含まれる。
【００１２】
単にピン２７を２つの半環状部材３、５の貫通孔１５、１７及び弾性連結器２３の貫通孔２５に通すだけで、２つの半環状部材３、５と弾性連結器２３とを組み立てて完成したルーズリーフ用リング１を形成することができる。図７、８に示すように、使用の際には、弾性連結器２３の弾力を逆らう形で、２つの半環状部材３、５を反対方向に向けて引き離して、２つの半環状部材３、５を開ける。突出部分２１と凹み部分１９が２つの半環状部材３と５の他端に形成されており、開いた状態で凹み部分１９の側壁が突出部分２１に接する状態となるため、ルーズリーフ用リング１は開いた状態で安定し、ルーズリーフ用紙を取り出したり入れたりすることができる。開いた状態から、２つの半環状部材３、５をお互いに向かい合った方向に押し、弾性連結器２３を弾力的に復帰させることによって、２つの半環状部材３、５は突出部分２１と凹み部分１９の相互作用の下で閉じた状態に入る。弾性連結器２３も２つの半環状部材３、５を閉じた状態に保つようにする。
【００１３】
本発明によるルーズリーフ用リングは、２つの環状部分を力を入れて外向きに引き離して位置をずらすのではなく、反対方向に引き離すだけで開けることができるため、操作するのにとても便利である。長期使用後も、２つの半環状部材は変形しにくく、確実に係止して一体にすることができる。２つの半環状部材を、当該２つの半環状部材の形に大よそ合わした弾性連結器で一体に連結することで、２つの半環状部材の連結された位置でのサイズは大幅に小さくなり、連結された位置がかなり滑らかになる。そのため、ルーズリーフ用リングに保持されているルーズリーフ用紙は滑らかに回すことができ、破損されることもない。
【００１４】
ここで図示及び解説した実施の形態のルーズリーフ用リングの要素は金属（例えば鋼鉄）など適切な剛体材料で作ることが好ましい。しかし、非金属物質、特にプラスチックで作られたルーズリーフ用リングも本発明の範囲に含まれる。
本発明の範囲を逸脱せずに上記の内容に様々な変更を施すことが可能であるため、前記記載と添付図面に含まれているすべての内容は非限定的であって、例示を目的とする。
【図面の簡単な説明】
【００１５】
【図１】は本発明によるルーズリーフ用リングの正面図である。
【図２】は本発明によるルーズリーフ用リングの側面図である。
【図３】は本発明によるルーズリーフ用リングの平面図である。
【図４】は本発明によるルーズリーフ用リングの底面図である。
【図５】は本発明によるルーズリーフ用リングの斜視図である。
【図６】は本発明によるルーズリーフ用リングの分解斜視図である。
【図７】は本発明によるルーズリーフ用リングの開いた状態での斜視図である。
【図８】は本発明によるルーズリーフ用リングの開いた状態での正面図である。
【符号の説明】
【００１６】
１     ルーズリーフ用リング
３     半環状部材
５     半環状部材
７     突出部
９     凹部
１１   平坦部
１３   平坦部
１５   半環状部材の貫通孔
１７   半環状部材の貫通孔
１９   凹み部分
２１   突出部分  
２３   弾性連結器
２５   弾性連結器の貫通孔
２７   ピン
【図１】
2007261271.tif 000003
【図２】
2007261271.tif 000004
【図３】
2007261271.tif 000005
【図４】
2007261271.tif 000006
【図５】
2007261271.tif 000007
【図６】
2007261271.tif 000008
【図７】
2007261271.tif 000009
【図８】
2007261271.tif 000010